(57)【要約】【課題】複数の機器から動作指示を同時に受けることを防止でき、かつ意図しない動作の発生を軽減し、ユーザの操作性の向上を図ることができる画像読取装置、画像読取装置制御用プログラム及び記録媒体を提供する。【解決手段】複数のコンピュータと接続されるスキャナにおいて、スキャナによる原稿の読み取り予約の受付が行われ、スキャナの現在の使用状況や他のコンピュータによるスキャナの占有状況に基づいてスキャナによる原稿の読み取り予約の受付が可能であるか否かが決定される。スキャナが現在使用されている場合や他のコンピュータがスキャナを占有している場合には、スキャナによる原稿の読み取り予約の受付が拒否される。【選択図】　　　図６
2004064342.tif 000002
【特許請求の範囲】
【請求項１】
複数の情報処理装置と接続される画像読取装置において、
原稿の画像を読み取る読取手段と、前記読取手段の読み取り予約を受け付ける予約手段と、前記読取手段の使用状況又は前記情報処理装置における前記読取手段の占有状況に基づいて前記予約手段の予約受付が可能であるか否かを決定する予約受付可否決定手段とを備えることを特徴とする画像読取装置。
【請求項２】
前記予約可否決定手段は、前記読取手段が使用されている場合に、前記予約手段の予約受付を拒否することを特徴とする請求項１記載の画像読取装置。
【請求項３】
前記予約可否決定手段は、前記情報処理装置のいずれか１つが前記読取手段を占有している場合に、前記予約手段の予約受付を拒否することを特徴とする請求項１又は２記載の画像読取装置。
【請求項４】
前記予約可否決定手段により前記予約手段の予約受付が拒否される場合に、予約ができないことを通知する通知手段を備えることを特徴とする請求項２又は３記載の画像読取装置。
【請求項５】
複数の情報処理装置とネットワークを介して接続されることを特徴とする請求項１乃至４のいずれか１項記載の画像読取装置。
【請求項６】
複数の情報処理装置と接続され、原稿の画像を読み取る読取手段を備える画像読取装置で使用される画像読取装置制御用プログラムにおいて、
前記読取手段の読み取り予約を受け付ける予約ステップと、前記読取手段の使用状況又は前記情報処理装置における前記読取手段の占有状況に基づいて前記予約手段の予約受付が可能であるか否かを決定する予約受付可否決定ステップとを前記画像読取装置に実行させることを特徴とする画像読取装置制御用プログラム。
【請求項７】
複数の情報処理装置と接続され、原稿の画像を読み取る読取手段を備える画像読取装置で使用される画像読取装置制御用プログラムを格納した、前記画像読取装置により読み取り可能な記録媒体において、
前記読取手段の読み取り予約を受け付ける予約ステップと、前記読取手段の使用状況又は前記情報処理装置における前記読取手段の占有状況に基づいて前記予約手段の予約受付が可能であるか否かを決定する予約受付可否決定ステップとを前記画像読取装置に実行させることを特徴とする記録媒体。
【発明の詳細な説明】
【０００１】
【発明の属する技術分野】
本発明は、原稿を読み取るスキャン動作を制御する画像読取装置、画像読取装置制御用プログラム及び記録媒体に関する。
【０００２】
【従来の技術】
現在、コンピュータとスキャナ又はスキャン機能を有する複合機をケーブル接続又はネットワーク接続し、コンピュータからこのスキャナ又は複合機に対してスキャン動作を指示する方法が知られている。
【０００３】
【発明が解決しようとする課題】
しかしながら、複合機の操作部上からのスキャン動作の指示と、コンピュータからのスキャン動作の指示とが同時に行われると、意図しない動作が発生してしまうことがあった。また、コンピュータが複数台あるときに、これらのコンピュータを１つのスキャナに接続しようとする際にも、意図しない動作が発生してしまうことがあった。これは、スキャナを使用する際の複合機又はコンピュータからのスキャン命令が重畳し、排他的に制御されていないからである。
【０００４】
本発明は、かかる点に鑑みてなされたものであり、複数の機器から動作指示を同時に受けることを防止でき、かつ意図しない動作の発生を軽減し、ユーザの操作性の向上を図ることができる画像読取装置、画像読取装置制御用プログラム及び記録媒体を提供することを目的とする。
【０００５】
【課題を解決するための手段】
上記目的を達成するために、請求項１記載の画像読取装置は、複数の情報処理装置と接続される画像読取装置において、原稿の画像を読み取る読取手段と、前記読取手段の読み取り予約を受け付ける予約手段と、前記読取手段の使用状況又は前記情報処理装置における前記読取手段の占有状況に基づいて前記予約手段の予約受付が可能であるか否かを決定する予約受付可否決定手段とを備えることを特徴とする。
【０００６】
請求項２記載の画像読取装置は、請求項１記載の画像読取装置において、前記予約可否決定手段は、前記読取手段が使用されている場合に、前記予約手段の予約受付を拒否することを特徴とする。
【０００７】
請求項３記載の画像読取装置は、請求項１又は２記載の画像読取装置において、前記予約可否決定手段は、前記情報処理装置のいずれか１つが前記読取手段を占有している場合に、前記予約手段の予約受付を拒否することを特徴とする。
【０００８】
請求項４記載の画像読取装置は、請求項２又は３記載の画像読取装置において、前記予約可否決定手段により前記予約手段の予約受付が拒否される場合に、予約ができないことを通知する通知手段を備えることを特徴とする。
【０００９】
請求項５記載の画像読取装置は、請求項１乃至４のいずれか１項記載の画像読取装置において、複数の情報処理装置とネットワークを介して接続されることを特徴とする。
【００１０】
請求項６記載の画像読取装置制御用プログラムは、複数の情報処理装置と接続され、原稿の画像を読み取る読取手段を備える画像読取装置で使用される画像読取装置制御用プログラムにおいて、前記読取手段の読み取り予約を受け付ける予約ステップと、前記読取手段の使用状況又は前記情報処理装置における前記読取手段の占有状況に基づいて前記予約手段の予約受付が可能であるか否かを決定する予約受付可否決定ステップとを前記画像読取装置に実行させることを特徴とする。
【００１１】
請求項７記載の記録媒体は、複数の情報処理装置と接続され、原稿の画像を読み取る読取手段を備える画像読取装置で使用される画像読取装置用プログラムを格納した、前記画像読取装置により読み取り可能な記録媒体において、前記読取手段の読み取り予約を受け付ける予約ステップと、前記読取手段の使用状況又は前記情報処理装置における前記読取手段の占有状況に基づいて前記予約手段の予約受付が可能であるか否かを決定する予約受付可否決定ステップとを前記画像読取装置に実行させることを特徴とする。
【００１２】
【発明の実施の形態】
以下、本発明の実施の形態について図面を参照して説明する。
【００１３】
図１は、本発明の実施の形態に係る画像読取装置の構成及び周辺機器との関係を示すブロック図である。本実施の形態においては、画像読取装置の例として、画像読取機能、プリント機能及びファクシミリ機能等を有する複合機９を用いて説明する。
【００１４】
図１において、複合機９は、主としてリーダ部１と、プリンタ部２と、コントローラ部３と、操作部５００とを備え、コントロール部３は更に、モデム通信部４と、ネットワーク処理部７と、ＰＤＬ展開部８と、コア部１０とを有する。
【００１５】
リーダ部１は、複合機９にセットされた原稿の画像を読み取り、原稿画像に応じた画像データをコア部１０を介してプリンタ部２へ出力する。プリンタ部２は、リーダ部１からの画像データに応じた画像を記録紙上に記録する。
【００１６】
モデム通信部４は公衆回線網１５を介してファクシミリ装置１４及びコンピュータ１２と接続されており、ネットワーク処理部７はネットワーク１６を介して複合機１３及びコンピュータ１１に接続されている。
【００１７】
コンピュータ１１は、パーソナルコンピュータ又はワークステーション（ＰＣ／ＷＳ）である。例えば、コンピュータ１１はＰＤＬプリントデータをネットワーク１６及びネットワーク処理部７を介して複合機９内のコア部１０に出力する。これにより、ＰＤＬ展開部８はＰＤＬデータをプリンタ部２で記録できる画像データに展開し、該展開された画像データをコア部１０を介してプリンタ部２へ出力し、プリンタ部２は展開された画像データをプリントする。また、コンピュータ１１は、ネットワーク１６、ネットワーク処理部７及びコア部１０を介して、リーダ部１に原稿読み取りを指示し、コア部１０が備えるメモリ（図示しない）に格納された画像をネットワークを介して吸い上げる。
【００１８】
複合機９は、例えばリーダ部１で読み取った原稿画像をコア部１０及びモデム通信部４を経由し、公衆回線網１５を通じてファクシミリ装置１４にファックス送信する。更に、複合機９は、ファクシミリ装置１４から画像データを公衆回線網１５、モデム通信部４及びコア部１０を通じて受信し、プリンタ部２で受信画像をプリントする。
【００１９】
コンピュータ１２はパーソナルコンピュータ又はワークステーション（ＰＣ／ＷＳ）である。
【００２０】
複合機１３は、複合機９と同様の構成を備え、リモートコピーや重連コピーなどの分散印刷を行うために使用される。
【００２１】
なお、図１に示す構成は一例であり、図示の構成に限定されるものではない。
【００２２】
図２は、図１における複合機９の一例を示す断面図である。
【００２３】
複合機９，１３は、複写装置本体１００、デッキ１５０、循環式自動原稿送り装置（ＲＤＦ）１８０から大略構成されている。
【００２４】
複写装置本体１００は、プラテンガラス１０１、スキャナ１０２、走査ミラー１０５，１０６、レンズ１０８、ＣＣＤセンサ（イメージセンサ部）１０９、感光体ドラム１１０、１次帯電器１１２、前露光ランプ１１４、クリーニング装置１１６、転写帯電器１１８、露光制御部１２０、現像器１２１、転写ベルト１３０、上段カセット１３１、下段カセット１３２、ピックアップローラ１３３，１３４、給紙ローラ１３５，１３６、レジストローラ１３７、吸着帯電器１３８、転写ベルトローラ１７０、定着前帯電器１３９，１４０、定着器１４１、排紙ローラ１４２、排紙フラッパ１５４、反転パス１５５、再給紙トレイ１５６、多重フラッパ１５７、搬送パス１５８、給紙ローラ１５９、経路１６０、排出ローラ１６１、第１送りローラ１６２、第２送りローラ１６２ａ及び反転ローラ１６３を備えている。
【００２５】
図１におけるリーダ部１は、図２におけるプラテンガラス１０１〜ＣＣＤセンサ１０９に対応し、図１におけるプリンタ部２は、図２における感光体ドラム１１０〜反転ローラ１６３に対応する。
【００２６】
まず、リーダ部１について説明する。プラテンガラス１０１は、原稿載置台である。スキャナ１０２は、原稿照明ランプ１０３及び走査ミラー１０４等で構成される。スキャナ１０２は、不図示のモータによって所定方向に往復走査されることにより、原稿の反射光１０７を走査ミラー１０４〜１０６を介してレンズ１０８を透過させてＣＣＤセンサ１０９に結像する。ＣＣＤセンサ１０９は反射光１０７を電気信号に変換し、ＣＣＤセンサ１０９付近の図示しないスキャナ画像処理部がこの電気信号に対してＡ／Ｄ変換やシェーディング補正を行い、この変換や補正が施された電気信号をコア部１０の後述するゲートアレイ３２６を介してコア部１０の後述するメモリ３２４にデジタル画像データとして蓄積する。
【００２７】
上記コア部１０のメモリ３２４に蓄積されたデジタル画像データはそのプリントの指示が入力されたときに読み出され、後述するコア部１０のゲートアレイ３２６が、該読み出されたデジタル画像データをビデオ信号に変換し、Ｉ／Ｆ３２５を通じてプリンタ部２に送る。
【００２８】
次に、プリンタ部２について説明する。感光体ドラム１１０の回りには、１次帯電器１１２、現像器１２１、転写帯電器１１８、クリーニング装置１１６及び前露光ランプ１１４が装備されている。感光体ドラム１１０を中心とした画像形成部１２６において、感光体ドラム１１０は、不図示のモータにより図中矢印方向に回転しており、１次帯電器１１２により所望の電位に帯電された後、露光制御部１２０からのレーザ光１２９が照射され、静電潜像が形成される。露光制御部１２０は、レーザ、ポリゴンスキャナ等で構成されている。
【００２９】
一方、上段カセット１３１又は下段カセット１３２からピックアップローラ１３３，１３４により給紙された転写紙は、給紙ローラ１３５，１３６により経路１６０及びレジストローラ１３７を介して転写ベルトに給送され、可視化されたトナー像が転写帯電器１１８により転写紙に転写される。転写後の感光体ドラム１１０は、クリーニング装置１１６により残留トナーが清掃され、前露光ランプ１１４により残留電荷が消去される。転写後の転写紙は、転写ベルト１３０から分離され、定着前帯電器１３９，１４０によりトナーが再帯電される。その後、トナーが再帯電された転写紙は、定着器１４１に送られ、加圧及び加熱により定着され、排紙ローラ１４２により複写装置本体１００の外に排出される。
【００３０】
吸着帯電器１３８は、レジストローラ１３７から送られた転写紙を転写ベルト１３０に吸着させる。転写ベルトローラ１７０は、転写ベルト１３０の回転に用いられると同時に、吸着帯電器１３８と対になって、転写ベルト１３０に転写紙を吸着帯電させる。
【００３１】
複写装置本体１００には、例えば４０００枚の転写紙を収納し得るデッキ１５０が装備されている。デッキ１５０のリフタ１５１は、給紙ローラ１５２に転写紙が常に当接するように転写紙の量に応じて上昇する。また、複写装置本体１００には、例えば１００枚の転写紙を収容し得るマルチ手差し１５３が装備されている。
【００３２】
排紙フラッパ１５４は、両面記録側ないし多重記録側と排紙側との経路を切り替える。排紙ローラ１４２から送り出された転写紙は、この排紙フラッパ１５４により両面記録側ないし多重記録側に切り替えられる。多重フラッパ１５７は、両面記録と多重記録の経路を切り替えるものであり、これを左方向に倒すことにより、反転パス１５５を介さず、直接、搬送パス１５８に転写紙を導く。給紙ローラ１５９は、経路１６０を通じて転写紙を感光体ドラム１１０側に給紙する。
【００３３】
排出ローラ１６１は、排紙フラッパ１５４の近傍に配置されて、この排紙フラッパ１５４により排出側に切り替えられた転写紙を機外に排出する。両面記録（両面複写）時には、排紙フラッパ１５４を上方に上げて、多重フラッパ１５７を右に倒し、記録（複写）済みの転写紙を反転パス１５５に一旦すべり込ませた後、多重フラッパ１５７を左に倒し、搬送パス１５８を介して裏返した状態で再給紙トレイ１５６に格納する。また、多重記録（多重複写）時には、排紙フラッパ１５４を上方に上げて、多重フラッパ１５７を左に倒し、記録（複写）済みの転写紙を搬送パス１５８を通過させた後、再給紙トレイ１５６に格納する。再給紙トレイ１５６に格納されている転写紙が、下から１枚ずつ給紙ローラ１５９により経路１６０を介して本体のレジストローラ１３７に導かれる。
【００３４】
本体から転写紙を反転して排出する時には、排紙フラッパ１５４を上方へ上げ、多重フラッパ１５７を右方向へ倒し、記録（複写）済みの転写紙を搬送パス１５５側へ搬送し、転写紙の後端が第１送りローラ１６２を通過した後に、反転ローラ１６３によって第２送りローラ１６２ａ側へ搬送し、排出ローラ１６１によって転写紙を裏返して機外へ排出する。また、機外へ排出された転写紙は、フィニッシャ１９０に搬送される。
【００３５】
フィニッシャ１９０は、複写装置本体１００で印刷された転写紙をスタックする。パス１９３は、複写装置本体１００で印刷された転写紙を受け取る経路であり、ローラ１９７は、パス１９３から搬送された転写紙をパス１９５又はパス１９６に送り出す。転写紙をパス１９５へ送り出すには、排紙フラッパ１９４を下方に移動させ、パス１９６へ送り出すには、排紙フラッパ１９４を上方に移動させる。そして、転写紙がパス１９６を通った場合は、ローラ１９８によってビン１９２に排紙される。転写紙がパス１９５を通った場合は、そのままビン１９２に排紙される。例えば、コピーを行った場合は、転写紙をビン１９１に排紙し、ＰＤＬプリントを行った場合は、ビン１９２に排紙することで、ユーザの利便性が向上する。
【００３６】
図３は、図１における複合機９が有するコア部１０の構成を示すブロック図である。
【００３７】
コア部１０は、インターフェース（Ｉ／Ｆ）３２０，３２２，３２７，３２８、データ処理部３２１，３２６、ＣＰＵ３２３（各制御手段）及びメモリ３２４を備えている。
【００３８】
リーダ部１から送られてくる画像データは、Ｉ／Ｆ３２２を介してデータ処理部３２１へ転送される。データ処理部３２１は、画像の回転処理や変倍処理等の画像処理を行う。また、データ処理部３２１へ転送された画像データは、ＣＰＵ３２３を介してメモリ３２４にデジタル画像データとして蓄積される。また、データ処理部３２１へ転送された画像データは、操作部５００からの制御コマンドに応じて、ＣＰＵ３２３、データ処理部３２６及びＩ／Ｆ３２７を介してプリンタ部２へ、又はＩ／Ｆ３２０を介してモデム通信部４若しくはネットワーク処理部７へ転送される。
【００３９】
また、ネットワーク処理部７を介して入力された画像を表すコードデータは、Ｉ／Ｆ３２０を介してＣＰＵ３２３へ転送され、ＣＰＵがＰＤＬコードであると判定した場合には、ＰＤＬコードをＩ／Ｆ３２０を介して、ＰＤＬ展開部８へ転送されて、そこで、画像ビットマップデータに展開される。この画像ビットマップデータは、Ｉ／Ｆ３２０及びＣＰＵ３２３を介してメモリ３２４へ蓄積される。その後、画像ビットマップデータはＣＰＵ３２３、データ処理部３２６及びＩ／Ｆ３２７を介してプリンタ部２へ転送され、プリントされる。
【００４０】
モデム通信部４から入力されるファックス画像データは、Ｉ／Ｆ３２０及びＣＰＵ３２３を介して、データ処理部３２６へ転送された後、Ｉ／Ｆ３２７を介してプリンタ部２へ転送される。
【００４１】
ＣＰＵ３２３は、メモリ３２４に記憶されている制御プログラム及びＩ／Ｆ３２８を介して操作部５００から受けた制御コマンドに従って、上述したような制御を行う。また、メモリ３２４はＣＰＵ３２３の作業領域としても使用される。このように、複合機９では、画像入出力制御部３のコア部１０を中心に、原稿画像の読み取り、画像のプリント、画像の送受信、画像の保存及びコンピュータからのデータの入出力等の機能を複合させた処理を行うことが可能である。
【００４２】
図４は、図１の複合機９が備える操作部５００の表示部に表示される基本画面を表す図である。
【００４３】
操作部５００の表示部はタッチパネルとなっており、ユーザがそれぞれ表示される機能の枠内を触れることにより、その機能が実行される。
【００４４】
同図において、符号５２４は複写動作を行う場合に押下するコピーモードキーである。このコピーモードキー５２４が押下されたときは、コピーモード画面５３０を表示する。符号５０１は拡張機能キーであり、このキーを押下することによって両面複写、多重複写、移動、綴じ代の設定又は枠消しの設定等のモードに入る。
【００４５】
符号５４０は、ステータスラインであり、機器の状態や印刷情報を示すメッセージを表示する。同図に示すステータスライン５４０は、分散印刷を実行した例を示しており、例えばコンピュータ１１から、“ｓｕｚｕｋｉ−ｉｃｈｉｒｏ”というユーザ名で、ファイル“会議資料．ｄｏｃ”をこの複合機で５部、他の複合機である“総務課：ｉＲ３３００”で５部プリントすることを示している。
【００４６】
同図において、画像モードキー５０２は、複写画像に対して網掛け、影付け、トリミング又はマスキングを行うための設定モードに入るためのキーであり、ユーザモードキー５０３は、モードメモリの登録、標準モード画面の設定を行うためのキーであり、応用ズームキー５０４は、原稿のＸ方向又はＹ方向を独立に変倍するモード、又は原稿サイズと複写サイズから変倍率を計算するズームプログラムのモードに入るためのキーである。Ｍ１キー５０５、Ｍ２キー５０６及びＭ３キー５０７は、それぞれに登録されたモードメモリの内容を呼び出す際に押下するキーである。オプションキー５０９は、フィルムから直接複写するため、フィルムプロジェクタ等のオプション機能の設定を行うキーである。
【００４７】
ソータキー５１０は、ソート、ノンソート又はグループの設定を行うキーである。原稿混載キー５１１は、原稿フィーダにＡ４サイズとＡ３サイズ、又はＢ５サイズとＢ４サイズの原稿を一緒にセットする際に押下するキーである。
【００４８】
等倍キー５１２は、複写倍率を１００％にする際に押下するキーであり、縮小キー５１４や拡大キー５１５は、定型の縮小や拡大を行う際に押下するキーである。用紙選択キー５１３は、複写用紙の選択を行う際に押下するキーであり、濃度キー５１８は押下する毎に原稿をより濃く複写するキーであり、濃度キー５２０は押下する毎に原稿をより薄く複写するキーである。濃度表示部５１７は、濃度キー５１８を押下すると濃度を示すポインター（不図示）が左側に移動し、濃度キー５２０を押すと濃度を示すポインター（不図示）が右側に移動するものであり、ユーザに濃度を客観的に知らせるものである。ＡＥキー５１９は、新聞のように地肌の濃い原稿を自動濃度調整で複写するときに押下するキーである。
【００４９】
ＨｉＦｉキー５２１は、写真原稿のように中間調の濃度が濃い原稿の複写の際に押下するキーであり、文字強調キー５２２は、文字原稿の複写で文字を際だたせたい場合に押下するキーである。ガイドキー５２３は、あるキーの機能がわからないとき押下するキーであり、押下するとそのキーの説明が表示される。ファックスキー５２５は、ファックスを行うときに押下するキーであり、ファイルキー５２６はファイルデータを出力したいときに押下するキーである。プリンタキー５２７は、プリントの濃度を変更する又はリモートコンピュータから送られてくるＰＤＬデータのプリント出力詳細情報を参照したい場合に押下するキーである。
【００５０】
履歴キー５６０は印刷済みのジョブの履歴情報を表示する際に押下するキーであり、このキーが押下されると表示部に、例えば、印刷ジョブの終了時刻、ユーザ名、ファイル名、印刷枚数等の情報を表示する。
【００５１】
プリンタ選択キー６００は、リモートコピーを行う場合の受信側の複写機を選択する際に押下するキーであり、スキャンキー５５０は原稿をスキャンする際に押下するキーであり、このキーを押下すると図５に示すようなスキャン画面に移る。
【００５２】
図５は、図４においてスキャンキー５５０を押下したときに表示されるスキャン画面の一例を示す図である。
【００５３】
同図において、符号６００はスキャンの状態を示す表示例であり、スキャナを予約（占有）している状態かどうかを示している。符号６１０はスキャナ予約キーであり、コンピュータからスキャンを実行させたいときに、このキーを押下することによって、スキャナを予約（占有）している状態となる。この場合、ステータスライン５４０には「スキャナ予約中です」というようなメッセージが表示される。符号６２０はスキャナ予約解除キーであり、予約（占有）されていたスキャナを開放させたいときに、このキーを押下することによってスキャナを開放する。
【００５４】
複合機９では、スキャナ予約キー６１０が押下され、スキャナが占有されている状態でコピーキー５２４を押下すると、ステータスライン５４０に、例えば、「スキャナが予約されているためコピー画面に移動できません」というメッセージを出し、スキャナが開放されないとコピー動作が行えないように制御されている。また、複合機９では、スキャナ予約キー６１０を押下しようとしたときに、コピー等の他の機能においてスキャナを使用している場合は、ステータスライン５４０に、例えば、「スキャナが使用されているため予約できません」というようなメッセージを出す。
【００５５】
図６は、スキャナの予約をする場合の複合機９における制御内容を示すフローチャートである。本制御は主として、コア部１０のＣＰＵ３２３によって実行される。
【００５６】
まず、ユーザが図５のスキャン画面のスキャナ予約キー６１０を押下した場合に、操作部５００がＣＰＵ３２３に対してスキャナ予約命令を出力する（ステップＳ５０１）。
【００５７】
ＣＰＵ３２３は、ステップＳ５０１で出力されたスキャナ予約命令を受けて、スキャナが現在コピー動作等で使用されているか否かを判別する（ステップＳ５０２）。
【００５８】
ステップＳ５０２の判別の結果、スキャナが現在使用されている場合には、スキャン画面のステータスライン５４０に、「スキャナが使用されているため予約できません」というような警告メッセージを表示し（ステップＳ５０３）、本処理を終了する。一方、スキャナが現在使用されている場合には、スキャナの予約を受け付ける（ステップＳ５０４）。スキャナの予約受付は、操作部５００を介して行われ、コンピュータからスキャナに接続する場合も、操作部５００を介してスキャナの予約受付が行われる。
【００５９】
次いで、コンピュータから接続要求を受けた場合に（ステップＳ５０５）、スキャナが他のコンピュータ等によって占有されていないかどうかを判別する（ステップＳ５０６）。
【００６０】
ステップＳ５０６の判別の結果、ＣＰＵ３２３は、スキャナが他のコンピュータ等によって占有されている場合には、「スキャナは現在使用されています」というような警告メッセージをコンピュータに送信し、コンピュータのモニタ上に表示させ（ステップＳ５０７）、ステップＳ５０５に戻る。一方、スキャナが他のコンピュータ等によって占有されていない場合には、スキャナは接続要求を発したコンピュータと接続し（ステップＳ５０８）、コンピュータからのスキャン指示を受けて、原稿の画像をスキャンしてメモリ３２４に一時保存する（ステップＳ５０９）。そして、原稿を全てスキャンした後に、メモリ３２４に一時保存された画像データをコンピュータに転送し（ステップＳ５１０）、ＣＰＵ３２３はコンピュータとの接続を切断し（ステップＳ５１１）、スキャナの予約を解放し（ステップＳ５１２）、本制御を終了する。
【００６１】
上述したように、本実施の形態によれば、スキャナの読み取り予約の受付が行われ、スキャナの現在の使用状況や他のコンピュータによるスキャナの占有状況に基づいてスキャナの予約受付が可能であるか否かが決定されるので、複写機の操作部上からのスキャン動作指示と、ケーブル接続又はネットワーク接続されたコンピュータ側からのスキャン動作指示とを同時に受けることを防ぐことができ、また、複数のコンピュータからの接続も他のコンピュータがスキャナを占有しているかどうかを判断することで防げるため、意図しない動作の発生を軽減でき、ユーザの操作性の向上を図ることができる。
【００６２】
本発明は、上述した実施の形態の機能を実現するソフトウェアのプログラムを画像読取装置、画像読取装置に接続されているコンピュータ又はＣＰＵに供給し、その画像読取装置、画像読取装置に接続されているコンピュータ又はＣＰＵが該供給されたプログラムを読出して実行することによっても本発明の目的が達成されることは云うまでもない。
【００６３】
この場合、上記プログラムは、不図示の該プログラムを記録した記憶媒体から直接、又はインターネット、商用ネットワーク、若しくはローカルエリアネットワーク等に接続される不図示の他のコンピュータやデータベース等からダウンロードすることにより供給される。
【００６４】
また、上記プログラムは、上述した実施の形態の機能を画像読取装置又はコンピュータで実現することができればよく、その形態は、オブジェクトコード、インタプリタにより実行されるプログラム、ＯＳに供給されるスクリプトデータ等の形態を有するものでもよい。
【００６５】
更にまた、上述した実施の形態の機能を実現するソフトウェアのプログラムを記録した記録媒体を画像読取装置又はコンピュータに供給し、その画像読取装置又はコンピュータが記録媒体に格納されたプログラムを読出し実行することによっても、本発明の目的が達成されることは云うまでもない。
【００６６】
プログラムを供給する記録媒体としては、例えば、ＲＡＭ、ＮＶ−ＲＡＭ、フロッピー（登録商標）ディスク、光ディスク、光磁気ディスク、ＣＤ−ＲＯＭ、ＭＯ、ＣＤ−ＲＯＭ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムを記憶できるものであればよい。
【００６７】
【発明の効果】
以上詳細に説明したように、請求項１記載の画像読取装置、請求項６記載の画像読取装置制御用プログラム及び請求項７記載の記録媒体によれば、読取手段の読み取り予約が受け付けられ、読取手段の使用状況又は情報処理装置における読取手段の占有状況に基づいて予約手段の予約受付が可能であるか否かが決定されるので、画像読取装置の操作部上からの読取動作指示と、情報処理装置からの読取動作指示とを同時に受けることを防ぐことができ、また、複数の情報処理装置からの接続要求も他の情報処理装置が画像読取装置を占有しているかどうかを判断することで防げるため、意図しない動作の発生を軽減でき、ユーザの操作性の向上を図ることができる。
【図面の簡単な説明】
【図１】本発明の実施の形態に係る画像読取装置の構成及び周辺機器との関係を示すブロック図である。
【図２】図１における複合機９の一例を示す断面図である。
【図３】図１における複合機９が有するコア部１０の構成を示すブロック図である。
【図４】図１の複合機９が備える操作部５００の表示部に表示される基本画面を表す図である。
【図５】図４においてスキャンキー５５０を押下したときに表示されるスキャン画面の一例を示す図である。
【図６】スキャナの予約をする場合の複合機９における制御内容を示すフローチャートである。
【符号の説明】
１　リーダ部
２　プリンタ部
３　コントローラ部
４　モデム通信部
７　ネットワーク処理部
８　ＰＤＬ展開部
９，１３　複合機
１０　コア部
１１，１２コンピュータ
１４　ファクシミリ装置
１５　公衆回線網
１６　ネットワーク
【図１】
2004064342.tif 000003
【図２】
2004064342.tif 000004
【図３】
2004064342.tif 000005
【図４】
2004064342.tif 000006
【図５】
2004064342.tif 000007
【図６】
2004064342.tif 000008